(57)【要約】【課題】  既設の可撓止水継手を残したままで、コンクリート表面の修正を行うことなく短時間に可撓止水継手を補修することができる可撓止水継手の補修構造および補修方法を提供すること。【解決手段】  補修用可撓止水継手２１を取り付ける新たな取付枠体２２を弾性シール材２５を介して目地部の内部または外部の中空構造物１１に固定して弾性シール材２５で仕切られた空間２６を形成し、この空間に充填材２４を注入することでコンクリート表面などの中空構造物表面の補修を行うことなく止水性を確保する。これにより、既設の可撓止水継手を残したまま新たな可撓止水継手を目地部を挟んで相対向する取付枠体間に簡単に取り付けるようにする。  また、取付枠体をコーキング処理することで止水する場合に比べ、取付枠体を固定した後、直ちに充填材を充填することができ、短時間に確実に止水して施工できるようにしている。【選択図】  図１
2010275760.tif 000002
【特許請求の範囲】
【請求項１】
相対向する中空構造物の端部の目地部に跨って可撓性材料からなる環状の可撓止水継手を取り付けた可撓止水継手の補修構造であって、
既設の可撓止水継手が設置されている前記目地部の内部または外部に弾性シール材を介して補修用可撓止水継手を取り付ける取付枠体を相対向して固定し、これら取付枠体と前記中空構造物との間の前記弾性シール材で仕切られた空間に前記中空構造物と当該取付枠体とを接着し止水する充填材を充填固化させ、目地部を跨いで相対向する取付枠体間に前記補修用可撓止水継手を取り付けて構成したことを特徴とする可撓止水継手の補修構造。
【請求項２】
前記取付枠体を、複数に分割され連結可能なセグメント式枠部材で環状に構成することを特徴とする請求項1記載の可撓止水継手の補修構造。
【請求項３】
前記取付枠体に、目地部に生じた変位を調整する調整枠部材を介して前記補修用可撓止水継手を取り付けて構成したことを特徴とする請求項１または２記載の可撓止水継手の補修構造。
【請求項４】
前記取付枠体に、中空構造物との間の空間に連通するねじ孔を複数形成し、充填材を充填可能および充填確認可能に構成したことを特徴とする請求項１〜３のいずれかに記載の可撓止水継手の補修構造。
【請求項５】
相対向する中空構造物の端部の目地部に跨って可撓性材料からなる環状の可撓止水継手を取り付けた可撓止水継手を残したまま補修するに際し、
既設の可撓止水継手が設置されている前記目地部の内部または外部に弾性シール材を介して補修用可撓止水継手を取り付ける取付枠体を相対向して固定し、これら取付枠体と前記中空構造物との間の前記弾性シール材で仕切られた空間に前記中空構造物と当該取付枠体とを接着し止水する充填材を充填固化させたのち、目地部を跨いで相対向する取付枠体間に補修用可撓止水継手を取り付けるようにしたことを特徴とする可撓止水継手の補修方法。
【請求項６】
前記取付枠体を、複数に分割され連結可能なセグメント式枠部材で構成し環状に連結しながら固定するようにしたことを特徴とする請求項５記載の可撓止水継手の補修方法。
【請求項７】
前記取付枠体に、目地部に生じた変位を調整する調整枠部材を介して前記補修用可撓止水継手を取り付けるようにしたことを特徴とする請求項５または６記載の可撓止水継手の補修方法。
【請求項８】
前記取付枠体に、中空構造物との間の空間に連通するねじ孔を複数形成し、充填材を充填するとともに、充填状態を確認した後、ねじ孔を塞ぐようにしたことを特徴とする請求項５〜７のいずれかに記載の可撓止水継手の補修方法。
【発明の詳細な説明】
【技術分野】
【０００１】
この発明は、可撓止水継手の補修構造および補修方法に関し、洞道、上下水道、地下鉄、共同溝等の中空構造物の耐震性や止水性のための可撓止水継手に地震などで変位が生じた後の補修に適用して好適なものである。
【背景技術】
【０００２】
従来の地中に構築される中空構造物(例えば、ボックスカルバート、セグメントリング、推進管、暗渠など)の継手のひとつとして、互いに対向する一対の筒状の中空構造物の対向端部に筒状の枠体をそれぞれ碇着させるとともに、ゴム・合成樹脂等の弾性体からなる短筒状に形成した可撓止水継手の両端部を、前記枠体の内周面に水密的に取り付けて地盤の不等沈下に伴なう中空構造物の相対変位を吸収させると共に、これらの構造物間の止水を行なうようにしたものがある。
【０００３】
このような中空構造物である暗渠の可撓止水継手の一例として、特許文献１に開示されたものがあり、図６に外観斜視状態および底部の継手断面状態を示すように、１対の相対向させた暗渠ａ，ａの端部の内周面に形成された段差部ｂ，ｂに沿ってフランジｈ，ｈおよび端面部ｉ，ｉを備えた取付枠体ｇ，ｇをそれぞれ碇着させ、これらの取付枠体ｇ，ｇの段差部ｂ，ｂに沿うフランジｈ，ｈに跨って、ゴム・合成樹脂等の弾性材からなる短筒形に形成され、かつ中央に内周側に膨出した環状のくびれ部を有し、さらに、このくびれ部の両側から延びるフランジ部ｄ，ｄを有する可撓止水継手ｅをこれらフランジ部ｄ，ｄにおいて固着し、前記段差部ｂ，ｂと前記可撓止水継手ｅとの間に形成された空間部に、この可撓止水継手ｅの軸方向への膨出変形を防止する保護材を配設して構成してある。なお、ｋは継手の外周側に介在された目地材である。
【０００４】
このような可撓止水継手eで連結された暗渠ａ，ａが地震などで変位を生じてしまうと、そのままの状態で使用することは好ましくなく、可撓止水継手を次ぎの地震などに備えて常態に戻しておく必要がある。
【０００５】
このような可撓止水継手を補修する方法としては、相対向する一対手の暗渠のうち、一方の暗渠に新たな取付枠体を用意し、変位が生じた可撓止水継手を撤去して元の取付枠体に溶接することで、変位をなくし、この新たな取付枠体と他方の元の取付枠体との間に目地部を跨いで新たな可撓性継手を取り付けることが考えられる。
【先行技術文献】
【特許文献】
【０００６】
【特許文献１】特公昭６３−５８９８２号公報
【発明の概要】
【発明が解決しようとする課題】
【０００７】
ところが、変位が生じた暗渠の状態によっては、簡単に可撓止水継手を撤去することができない場合があり、一方の暗渠の取付枠体を利用して新たな取付枠体を溶接することができないという問題がある。また、この場合には、コンクリート製の暗渠にアンカーボルトを打設して新たな取付枠体を固定し、コンクリート表面との間を止水する必要があり、コンクリート表面の修正が必要となって鉄筋アンカーの打設、鉄筋の組立、型枠の建て込み、コンクリートの打設・養生、型枠の撤去などの多くの工程が必要で、多くの時間と手間がかかり、可撓止水継手の補修完了までにかなりの工期を要し、短時間に補修交換を行うことができないという問題がある。
【０００８】
この発明は、上記従来技術の問題点に鑑みてなされたもので、既設の可撓止水継手を残したままで、コンクリート表面の修正を行うことなく短時間に可撓止水継手を補修することができる可撓止水継手の補修構造および補修方法を提供しようとするものである。
【課題を解決するための手段】
【０００９】
かかる従来技術の課題を解決するこの発明の請求項１記載の可撓止水継手の補修構造は、相対向する中空構造物の端部の目地部に跨って可撓性材料からなる環状の可撓止水継手を取り付けた可撓止水継手の補修構造であって、既設の可撓止水継手が設置されている前記目地部の内部または外部に弾性シール材を介して補修用可撓止水継手を取り付ける取付枠体を相対向して固定し、これら取付枠体と前記中空構造物との間の前記弾性シール材で仕切られた空間に前記中空構造物と当該取付枠体とを接着し止水する充填材を充填固化させ、目地部を跨いで相対向する取付枠体間に前記補修用可撓止水継手を取り付けて構成したことを特徴とするものである。
【００１０】
また、この発明の請求項２記載の可撓止水継手の補修構造は、請求項1記載の構成に加え、前記取付枠体を、複数に分割され連結可能なセグメント式枠部材で環状に構成することを特徴とするものである。
【００１１】
さらに、この発明の請求項３記載の可撓止水継手の補修構造は、請求項１または２記載の構成に加え、前記取付枠体に、目地部に生じた変位を調整する調整枠部材を介して前記補修用可撓止水継手を取り付けて構成したことを特徴とするものである。
【００１２】
また、この発明の請求項４記載の可撓止水継手の補修構造は、請求項１〜３のいずれかに記載の構成に加え、前記取付枠体に、中空構造物との間の空間に連通するねじ孔を複数形成し、充填材を充填可能および充填確認可能に構成したことを特徴とするものである。
【００１３】
さらに、この発明の請求項５記載の可撓止水継手の補修方法は、相対向する中空構造物の端部の目地部に跨って可撓性材料からなる環状の可撓止水継手を取り付けた可撓止水継手を残したまま補修するに際し、既設の可撓止水継手が設置されている前記目地部の内部または外部に弾性シール材を介して補修用可撓止水継手を取り付ける取付枠体を相対向して固定し、これら取付枠体と前記中空構造物との間の前記弾性シール材で仕切られた空間に前記中空構造物と当該取付枠体とを接着し止水する充填材を充填固化させたのち、目地部を跨いで相対向する取付枠体間に補修用可撓止水継手を取り付けるようにしたことを特徴とするものである。
【００１４】
また、この発明の請求項６記載の可撓止水継手の補修方法は、請求項５記載の構成に加え、前記取付枠体を、複数に分割され連結可能なセグメント式枠部材で構成し環状に連結しながら固定するようにしたことを特徴とするものである。
【００１５】
また、この発明の請求項７記載の可撓止水継手の補修方法は、請求項５または６記載の構成に加え、前記取付枠体に、目地部に生じた変位を調整する調整枠部材を介して前記補修用可撓止水継手を取り付けるようにしたことを特徴とするものである。
【００１６】
さらに、この発明の請求項８記載の可撓止水継手の補修方法は、請求項５〜７のいずれかに記載の構成に加え、前記取付枠体に、中空構造物との間の空間に連通するねじ孔を複数形成し、充填材を充填するとともに、充填状態を確認した後、ねじ孔を塞ぐようにしたことを特徴とするものである。
【発明の効果】
【００１７】
この発明の請求項１記載の可撓止水継手の補修構造によれば、相対向する中空構造物の端部の目地部に跨って可撓性材料からなる環状の可撓止水継手を取り付けた可撓止水継手の補修構造であって、既設の可撓止水継手が設置されている前記目地部の内部または外部に弾性シール材を介して補修用可撓止水継手を取り付ける取付枠体を相対向して固定し、これら取付枠体と前記中空構造物との間の前記弾性シール材で仕切られた空間に前記中空構造物と当該取付枠体とを接着し止水する充填材を充填固化させ、目地部を跨いで相対向する取付枠体間に前記補修用可撓止水継手を取り付けて構成したので、補修用可撓止水継手を取り付ける新たな取付枠体を弾性シール材を介して目地部の内部または外部の中空構造物に固定することで、弾性シール材で仕切られた空間を形成することができ、この空間に充填材を注入することでコンクリート表面などの中空構造物表面の補修を行うことなく止水性を確保することができ、既設の可撓止水継手を残したまま新たな可撓止水継手を目地部を挟んで相対向する取付枠体間に簡単に取り付けることができる。
【００１８】
これにより、取付枠体をコーキング処理することで止水する場合に比べ、取付枠体を固定した後、直ちに充填材を充填することができ、短時間に確実に止水することができる。
【００１９】
また、この発明の請求項２記載の可撓止水継手の補修構造によれば、前記取付枠体を、複数に分割され連結可能なセグメント式枠部材で環状に構成したので、セグメント式枠部材を環状に連結することで取付枠体を設置でき、一層簡単に施工することができるとともに、個々の部材を軽量化することができ、重機などを用いることなく施工することができる。
【００２０】
さらに、この発明の請求項３記載の可撓止水継手の補修構造によれば、前記取付枠体に、目地部に生じた変位を調整する調整枠部材を介して前記補修用可撓止水継手を取り付けて構成したので、取付枠体とは別に調整枠部材を用いることで、変位の調整が簡単にでき、同一仕様の取付枠体を多数用意するとともに、変位に応じた調整枠部材を少数用意すれば良く、短時間に製造することができる。
【００２１】
また、この発明の請求項４記載の可撓止水継手の補修構造によれば、前記取付枠体に、中空構造物との間の空間に連通するねじ孔を複数形成し、充填材を充填可能および充填確認可能に構成したので、充填材をねじ孔を利用して充填することができるとともに、ねじ孔からあふれ出る充填材によって充填状態を確認でき、確実に止水することができる。
【００２２】
さらに、この発明の請求項５記載の可撓止水継手の補修方法によれば、相対向する中空構造物の端部の目地部に跨って可撓性材料からなる環状の可撓止水継手を取り付けた可撓止水継手を残したまま補修するに際し、既設の可撓止水継手が設置されている前記目地部の内部または外部に弾性シール材を介して補修用可撓止水継手を取り付ける取付枠体を相対向して固定し、これら取付枠体と前記中空構造物との間の前記弾性シール材で仕切られた空間に前記中空構造物と当該取付枠体とを接着し止水する充填材を充填固化させたのち、目地部を跨いで相対向する取付枠体間に補修用可撓止水継手を取り付けるようにしたので、補修用可撓止水継手を取り付ける新たな取付枠体を弾性シール材を介して目地部の内部または外部の中空構造物に固定することで、弾性シール材で仕切られた空間を形成することができ、この空間に充填材を注入することでコンクリート表面などの中空構造物表面の補修を行うことなく止水性を確保することができ、既設の可撓止水継手を残したまま新たな可撓止水継手を目地部を挟んで相対向する取付枠体間に簡単に取り付けることができる。
【００２３】
これにより、取付枠体をコーキング処理することで止水する場合に比べ、取付枠体を固定した後、直ちに充填材を充填することができ、短時間に確実に止水することができる。
【００２４】
また、この発明の請求項６記載の可撓止水継手の補修方法によれば、前記取付枠体を、複数に分割され連結可能なセグメント式枠部材で構成し環状に連結しながら固定するようにしたので、セグメント式枠部材を環状に連結することで取付枠体を設置でき、一層簡単に施工することができるとともに、個々の部材を軽量化することができ、重機などを用いることなく施工することができる。
【００２５】
また、この発明の請求項７記載の可撓止水継手の補修方法によれば、前記取付枠体に、目地部に生じた変位を調整する調整枠部材を介して前記補修用可撓止水継手を取り付けるようにしたので、取付枠体とは別に調整枠部材を用いることで、変位の調整が簡単にでき、同一仕様の取付枠体を多数用意するとともに、変位に応じた調整枠部材を少数用意すれば良く、短時間に製造して施工することができる。
【００２６】
さらに、この発明の請求項８記載の可撓止水継手の補修方法によれば、前記取付枠体に、中空構造物との間の空間に連通するねじ孔を複数形成し、充填材を充填するとともに、充填状態を確認した後、ねじ孔を塞ぐようにしたので、充填材をねじ孔を利用して充填することができるとともに、ねじ孔からあふれ出る充填材によって充填状態を確認でき、これらのねじ孔を塞ぐことで確実に止水することができる。
【図面の簡単な説明】
【００２７】
【図１】この発明の可撓止水継手の補修構造の一実施の形態にかかる横断面図である。
【図２】この発明の可撓止水継手の補修構造の一実施の形態にかかる取付枠体を抽出した概略斜視図である。
【図３】この発明の可撓止水継手の補修構造の一実施の形態にかかる取付枠体の連結および弾性シール材の異なる取付状態の概略説明図である。
【図４】この発明の可撓止水継手の補修構造の一実施の形態にかかる充填材の注入・充填の概略説明図である。
【図５】この発明の可撓止水継手の補修構造の他の一実施の形態にかかる横断面図である。
【図６】従来の中空構造物（暗渠）の概略斜視図および可撓止水継手の取付状態の底部分の断面図である。
【発明を実施するための形態】
【００２８】
以下、この発明を実施するための形態について図面を参照して詳細に説明する。  
この可撓止水継手の補修構造２０が適用される既存の可撓止水継手の取付構造は、中空構造物１１、例えばボックスカルバート型の暗渠１１で、捨石基盤上にコンクリートを打設することで断面が矩形に形成され、相対向する暗渠１１，１１の端部の目地部１１ａの内周面にそれぞれ可撓止水継手２０を取り付けるための段差部１２、１２が形成され、これらの段差部１２で形成される環状の空間が継手用設置スペースとされて既設の可撓止水継手１３が設置された場合(図６に示す場合)で、変位が生じた既設の可撓止水継手１３を残したまま補修用の新たな可撓止水継手２１をその内部（内周側）に設置して補修する場合や、これとは逆に中空構造物１１である相対向する暗渠１１、１１の端部の外周面にそれぞれ可撓止水継手１３を取り付けるための段差部１２、１２が形成され、これらの段差部１２で形成される環状の空間が継手用設置スペースとされて既設の可撓止水継手１３が設置された場合で、変位が生じた既設の可撓止水継手１３を残したまま補修用の新たな可撓止水継手２１をその外部(外周側)に設置して補修する場合のいずれにも適用できるものである。
【００２９】
なお、既設の可撓止水継手１３は、従来例で説明したように、各段差部１２の端面１２aに環状に横断面形状がL字状の外枠板１４が暗渠１１に埋設固定されたアンカー部材１５にゴムワッシャおよびブチルゴムシートからなるシール材を介してナット１６で取り付けられ、ナット１６の外側に保護部材１７が配置してある。
【００３０】
この可撓止水継手の補修構造２０では、図１に示すように、中空構造物である暗渠１１、１１の既設の可撓止水継手１３の外部に新たに補修用可撓継手２１を設置して補修する場合の実施の形態について説明する。
【００３１】
この可撓止水継手の補修構造２０では、中空構造物である暗渠１１、１１の目地部１１ａの外部に相対向して補修用の取付枠体２２が取り付けられる。
【００３２】
この補修用の取付枠体２２は、図２に示すように、横断面形状がＬ字状とされ環状方向に分割されて連結可能とされたセグメント式の枠部材２２ａを備え、相対向させて補修用可撓止水継手２１を取り付ける取付板部２２ｂと暗渠１１の表面に固定する固定板部２２ｃとで構成されるとともに、枠部材２２ａの両端部にフランジ部２２ｄが設けられて環状に連結できるようになっており、中間部に補強板２２ｅが取り付けてある。
【００３３】
このような取付枠体２２の枠部材２２ａの取付板部２２ｂは、暗渠１１、１１に生じた変位に対応して高さが設定してあり(図１参照)、相対向させて取り付ける補修用可撓止水継手２１を変位の無い状態で取り付けることができるように予め一定ピッチで可撓止水継手２１を取り付けるためボルト孔２２ｆが形成してある。
【００３４】
また、この取付枠体２２の固定板部２２ｃには、暗渠１１に打設するアンカーボルト２３に固定するためのボルト孔２２ｇが形成されるとともに、暗渠１１と接着し止水する充填材２４を充填したり、充填材２４の充填状態を確認するための貫通するねじ孔２２ｈが複数形成してあり、少なくとも両端部のフランジ部２２ｄの近傍の２ヶ所設けるようにする。
【００３５】
このような補修用の取付枠体２２を用いて行う補修方法では、図３に示すように、１つの取付枠体２２を固定板部２２ｃを上方に向けた状態とし、各固定板部２２ｃの周縁に沿って弾性シール材２５を取り付け、この弾性シール材２５を取り付けた固定板部２２ｃと暗渠１１の表面との間に密閉され独立した複数の空間２６を形成できるようにしたり(図3(ｂ)参照)、あるいは取付枠体２２同士をフランジ部２２ｄを利用して作業に支障のない個数を連結状態としたものの両側縁部に弾性シール材２５を取り付けて連続した1つないし複数の空間２６を形成できるようにする(図３(ｃ)参照)。
【００３６】
このため弾性シール材２５としては、例えば加硫ゴムなどの弾性体を帯状にしたものが用いられ、弾性シール材２５の厚さを厚くすることで、取り付けの際に圧縮させて暗渠１１の表面の不陸を吸収させるようにし、例えばゴム厚さを１３ｍｍ程度としたものを用い、固定の際に約４ｍｍ程度まで圧縮することで、暗渠１１の表面に±３ｍｍ程度の不陸が生じてもこの影響を吸収して密閉空間を確保できることを確認している。
【００３７】
こうして弾性シール材２５を取り付けた取付枠体２２は、図１および図４に示すように、暗渠１１、１１の目地部１１ａを挟んで取付板部２２ｂが対向するように配置し、打設したアンカーボルト２３に固定板部２２ｃのボルト孔２２ｇを挿通させてナット２３ａで締め付けて固定する。こうすることで、取付枠体２２の固定板部２２ｃと暗渠１１の表面との間に弾性シール材２５で密閉された空間２６を形成でき、この空間２６を充填材２４の充填用の型枠とすることができる。
【００３８】
こうして暗渠１１の外部に取り付けた取付枠体２２の固定板部２２ｃの空間２６には、固定板部２２ｃに形成したねじ孔２２ｈが連通しており、ねじ孔２２ｈの１つを利用してグラウト材、あるいはエポキシ樹脂などの充填材２４を充填する。この充填材２４は、空間２６に隙間なく充填することで、取付枠体２２を暗渠１１に強固に接合し止水状態とする必要があり、充填に用いたねじ孔２２ｈと離れた開放状態のねじ孔２２ｈから充填材２４が漏れ出るようにすることで空気などを介在させることなく充填されていることを確認する。
【００３９】
なお、充填材２４を充填前は、弾性シール材２５を周囲から充填材２４が漏れ出ない状態まで圧縮した状態とし、充填後、アンカーボルト２３にナット２３ａをさらに締め付けて弾性シール材２５をさらに圧縮して空間２６を狭めるようにすることで、一層確実に隙間なく充填することができる。
【００４０】
こうして充填材２４を暗渠１１の表面と取付枠体２２の固定板部２２ｃと弾性シール材２５とで仕切られた空間２６に隙間なく充填し、これを確認した後、ねじ孔２２ｈにプラグ２７を取り付けて密閉する。
【００４１】
このような暗渠１１、１１への取付枠体２２、２２の設置と充填材２４の充填は、取付枠体２２，２２を環状方向に組み立てながら固定が完了したものに順次充填材２４を充填していけば良く、従来のように、取付枠体の端部をコーキングし、養生が完了するまで待って充填材を充填する必要がなく、弾性シール材２５を圧縮状態で取り付けることで、充填材２４の充填が直ちに可能となり、短時間に施工することができる。
【００４２】
こうして環状に取付枠体２２が組み立てられた後、暗渠１１，１１の目地部１１ａを跨ぐように補修用可撓止水継手２１を配置し、図１に示す横断面形状において、中間部に逆Ｕ字状の伸縮部２１ａを備えるとともに、両端部にＬ字状の板状部２１ｂを備えた補修用可撓止水継手２１の板状部２１ｂ，２１ｂを取付枠体２２の取付板部２２ａのボルト孔２２ｆに挿通したボルト・ナット２８を介してシール材としてのゴムワッシャ、ブチルゴムシートおよび保護部材２９を介してシール状態で締め付け、補修用可撓止水継手２１を略短筒状に取り付けて補修が完了する。
【００４３】
このような可撓止水継手の補修構造２０および補修方法によれば、既設の可撓止水継手１３の撤去が困難であっても補修用の取付枠体２２を用いることで補修用可撓止水継手２１を設置することができるとともに、補修に際して溶接などの火器を使用することなく施工することができる。
【００４４】
また、この可撓止水継手の補修構造２０および補修方法によれば、既設の中空構造物である暗渠１１、１１の外部または内部に、セグメント式の分割された取付枠体２２を連結しながら組み立て行くことで補修用可撓止水継手２１を施工でき、各部材を細分化することで、重機などの設備を不要として施工することができる。
【００４５】
さらに、この可撓止水継手の補修構造２０および補修方法によれば、既設の中空構造物である暗渠１１，１１に弾性シール材２５を取り付けた取付枠体２２を設置して暗渠１１の表面と取付枠体２２との間に弾性シール材２５による密閉空間２６を形成し、この空間２６を型枠としてグラウト材あるいはエポキシ樹脂などの充填材２４を充填するようにしたので、従来工法である取付枠体をコーキング処理する場合に比べ、確実に止水することができるとともに、コーキング処理の養生の必要がなく、取付枠体２２を設置後、直ちに充填材２４を充填することができ、工期を短縮することが可能である。また、弾性シール材２５自体にも止水効果があり、従来工法に比べ止水性を向上することが可能で、高水圧条件の補修構造としても適用することができるとともに、水圧条件が従来と同一であれば、アンカーボルト２３の本数を減らすことも可能となる。
【００４６】
さらに、この可撓止水継手の補修構造２０および補修方法によれば、取付枠体２２の製作寸法を変更することで、既設の中空構造物のあらゆる残留変位に対応して補修用可撓止水継手２１を施工することができる。
【００４７】
なお、可撓止水継手の補修構造２０Ａおよび補修方法として、図５に示すように、取付枠体２２に変位に応じた高さの調整枠部材３０を用意して取付枠体２２に予め溶接などでシール状態で取り付けておくことで、一定の寸法の取付枠体２２を多数用意し、これに調整枠部材３０を連結して変位に応じたものとすることで、取付枠体２２の製作効率を向上することができるとともに、大きな残留変位に対しても細分割化して製作することができる。また、補修用可撓止水継手２１Ａとして図５に示す横断面形状において、中間部の伸縮部２１Ａａを下方が開口するコ字状とし、この伸縮部２１Ａａに平板状の板状部２１Ａｂが連続する形状とすることで、平板状の板状部２１Ａｂを中空構造物である暗渠１１、１１の外面と平行に配置して取り付けることができ、既に説明した補修用可撓止水継手２１に比べ、大きな変位に対応することができる。
【００４８】
なお、補修用可撓止水継手の形状は、上記２つの実施の形態で説明したものに限らず、伸縮部を複数の凸状を備えたものとするなど他の形状であっても良い。
【００４９】
また、この可撓止水継手の補修構造２０および補修方法によれば、取付枠体２２で補修用可撓止水継手２１のスペースを構築可能であり、中空構造物の外側からも施工可能である。すなわち、従来の既設構造物の外周面に可撓止水継手を組み付ける場合、可撓止水継手を現地にて接合する必要があり、接合作業を行うスペースが事実上皆無であったため実施できなかったが、分割構造の取付枠体を組み立てて行く工法のため、重機などの設備も不要で、スペースを確保して外側から施工することができる。
【符号の説明】
【００５０】
１０            既設の可撓止水継手の取付構造
１１            暗渠（中空構造物）
１１ａ          目地部
１２            段差部
１２ａ          端面
１３            既設の可撓止水継手
１４            外枠板
１５            アンカー部材
１６            ナット
１７            保護部材
２０            可撓止水継手の補修構造
２１            補修用可撓止水継手
２１ａ          伸縮部
２１ｂ          板状部
２２            補修用の取付枠体
２２ａ          セグメント式の枠部材
２２ｂ          取付板部
２２ｃ          固定板部
２２ｄ          フランジ部
２２ｅ          補強板
２２ｆ          ボルト孔
２２ｇ          ボルト孔
２２ｈ          ねじ孔
２３            アンカーボルト
２３ａ          ナット
２４            充填材
２５            弾性シール材
２６            空間(充填材の型枠)
２７            プラグ
２８            ボルト・ナット
２９            保護部材
３０            調整枠部材
【図１】
2010275760.tif 000003
【図２】
2010275760.tif 000004
【図３】
2010275760.tif 000005
【図４】
2010275760.tif 000006
【図５】
2010275760.tif 000007
【図６】
2010275760.tif 000008